(57)【要約】【課題】  製造コストを高くすることなく、軽量化することができると共に、所定の強度を備えたロータを提供する。  【解決手段】  合成樹脂で形成されたロータ１は、断面略多角形状の中空部３と、ロータ１の長手方向に清掃体の基部４が挿入される複数の支持溝２、２・・を有し、支持溝２は、一端から他端に亘って所定角度で螺旋状に形成されており、中空部２の外接円９がすべての清掃体の挿入時における基部４の底面５が接する内接円８以上の大きさとなるよう形成されている。【選択図】図２
2016093367.tif 000002
【特許請求の範囲】
【請求項１】
合成樹脂で形成されたロータにおいて、前記ロータは、断面略多角形状の中空部と、前記ロータの長手方向に清掃体の基部が挿入される複数の支持溝を有し、該支持溝は、一端から他端に亘って所定角度で螺旋状に形成されており、前記中空部の外接円がすべての前記清掃体の挿入時における基部の底面が接する内接円以上の大きさとなるよう形成されていることを特徴とするロータ。
【請求項２】
請求項１に記載のロータと、清掃体と、前記ロータの両端に取り付けられるブラケットとを備え、各種清掃装置に組み込まれる回転清掃体。
【請求項３】
請求項２に記載の回転清掃体を組み込んだ電気掃除機用吸込具。
【請求項４】
電動送風機と、請求項１に記載のロータ、又は、請求項２に記載の回転清掃体、或いは、請求項３に記載の電気掃除機用吸込具のいずれかを備えていることを特徴とする電気掃除機。
【発明の詳細な説明】
【技術分野】
【０００１】
本発明は、電気掃除機用吸込具や空気調和機に内蔵されたエアフィルタ清掃装置等の各種清掃装置に組み込まれる回転清掃体と、回転清掃体を構成するロータと、回転清掃体を組み込んだ電気掃除機用吸込具及び電気掃除機に関するものである。
【背景技術】
【０００２】
従来から、電気掃除機用吸込具の回転清掃体を構成する部材として、断面多角形状の中空部を備えたロータが知られている（特許文献１）。この特許文献１に記載されたロータは、清掃体を挿入する複数の溝を備えており、この複数の溝のいくつかを回転中心から各々異なる距離に設ける構成として、複数の溝に挿入される清掃体の長さを変化させることができるものであった。
【０００３】
また、中空部を有すると共に、外表面の肉厚を均一としたロータが知られている（特許文献２の図７参照）。この特許文献２に記載されたロータは、金属製のロータであり、アルミニウム合金等を使用することによって、軽量化を図ると共に、所定の強度を維持することができるものであった。
【０００４】
また、中空部を有する略円筒状の基台と、この基台の長手方向に清掃体の一部が挿入される支持溝と、清掃体を支持する支持体とが形成されていると共に、一端から他端に亘って所定角度で螺旋状に形成されてあり、基台の内壁に接する内接円にたいして、内接円と内壁との間に一つ以上の空間部が形成されるようにした合成樹脂製のロータが知られている（特許文献３）。この特許文献３に記載されたロータは、空間部を形成することによって、軽量化を図るものであった。
【先行技術文献】
【特許文献】
【０００５】
【特許文献１】特開２００２−３４５６９９号公報
【特許文献２】特許第４３８５２５３号公報
【特許文献３】特許第５２６３８７１号公報
【発明の概要】
【発明が解決しようとする課題】
【０００６】
しかしながら、上記特許文献１に記載のロータは、いびつな形状となっていることから、回転バランスが悪く、精度良く製造することができなければ、振動や異音の発生を生じさせる可能性を有するものであった。
【０００７】
また、上記特許文献２の図７に記載のロータは、金属製であると共に、外表面の肉厚を均一にする必要があり、精度良く製造することは難しく、製造コストが高くなるものであった。
【０００８】
また、上記特許文献３に記載のロータは、支持体が基台の外周から突出している部分の長さが大きいことから、支持体の根元部分に応力が加わり、亀裂を発生させる可能性を有するものであった。
【０００９】
本発明は、上記課題を解決する為になされたもので、製造コストを高くすることなく、軽量化することができると共に、所定の強度を備えたロータと、該ロータを備えた回転清掃体と、該回転清掃体を組み込んだ電気掃除機用吸込具と、前記ロータ、又は、前記回転清掃体、或いは、前記電気掃除機用吸込具のいずれかを備えた電気掃除機を提供することを目的としている。
【課題を解決するための手段】
【００１０】
上記従来の課題を解決する為に、請求項１の発明は、合成樹脂で形成されたロータにおいて、前記ロータは、断面略多角形状の中空部と、前記ロータの長手方向に清掃体の基部が挿入される複数の支持溝を有し、該支持溝は、一端から他端に亘って所定角度で螺旋状に形成されており、前記中空部の外接円がすべての前記清掃体の挿入時における基部の底面が接する内接円以上の大きさとなるよう形成されていることを特徴としている。したがって、中空部を最大限大きくすることによって、ロータの軽量化を図ることができる。また、ロータの材質を合成樹脂とすることによって、製造コストを高くすることなく、所定の強度を備えさせることができる。また、ロータの外周部を回転中心からの距離が等しい円弧状とすれば、塵埃の付着を防ぐことができ、芯ぶれによる振動や異音の発生を抑制することができる。即ち、本発明は、ロータ外径の大きさを変える事無く外周面を最も外側まで広げると共に、外周面によって支持溝を形成することによって、強度と軽量化の最も良いバランスで設計することができ、従来のロータと比較して強度の向上を図ることができる。
【００１１】
また、請求項２の発明は、各種清掃装置に組み込まれる回転清掃体の発明であって、請求項１に記載のロータと、清掃体と、前記ロータの両端に取り付けられるブラケットとを備えていることを特徴としている。したがって、ロータの軽量化を図ることによって、回転清掃体の軽量化も図ることができる。また、ロータの材質を合成樹脂とすることによって、製造コストを高くすることなく、回転清掃体に所定の強度を備えさせることができる。
【００１２】
また、請求項３の発明は、電気掃除機用吸込具の発明であって、請求項２に記載の回転清掃体を組み込んでいることを特徴としている。したがって、製造コストを高くすることなく、振動や異音の発生を抑えた電気掃除機用吸込具を提供することができる。
【００１３】
また、請求項４の発明は、電気掃除機の発明であって、電動送風機と、請求項１に記載のロータ、又は、請求項２に記載の回転清掃体、或いは、請求項３に記載の電気掃除機用吸込具のいずれかを備えていることを特徴としている。したがって、製造コストを高くすることなく、振動や異音の発生を抑えた電気掃除機を提供することができる。
【発明の効果】
【００１４】
請求項１のロータの発明では、ロータの軽量化を図ることができると共に、製造コストを高くすることなく、所定の強度を備えさせることができる。また、塵埃の付着を防ぐことができ、芯ぶれによる振動や異音の発生を抑制することができる。また、ロータ外径の大きさを変える事無く外周面を最も外側まで広げると共に、外周面によって支持溝を形成することによって、強度と軽量化の最も良いバランスで設計することができ、従来のロータと比較して強度の向上を図ることができる。
【００１５】
請求項２の回転清掃体の発明では、ロータの軽量化を図ることによって、回転清掃体の軽量化も図ることができる。また、ロータの材質を合成樹脂とすることによって、製造コストを高くすることなく、回転清掃体に所定の強度を備えさせることができる。
【００１６】
請求項３の電気掃除機用吸込具の発明では、製造コストを高くすることなく、振動や異音の発生を抑えた電気掃除機用吸込具を提供することができる。
【００１７】
請求項４の電気掃除機の発明では、製造コストを高くすることなく、振動や異音の発生を抑えた電気掃除機を提供することができる。
【図面の簡単な説明】
【００１８】
【図１】（ａ）本発明に係る回転清掃体を構成するロータの第１実施形態を示す斜視図（ｂ）第１実施形態のロータの正面図
【図２】（ａ）第１実施形態のロータに清掃体を取り付けた状態を示す断面図（ｂ）本発明に係る回転清掃体を構成するロータの第２実施形態を示す断面図
【図３】（ａ）本発明に係る回転清掃体の斜視図（ｂ）同回転清掃体の断面図
【図４】（ａ）本発明に係る電気掃除機用吸込具の斜視図（ｂ）同電気掃除機用吸込具の底面図
【図５】本発明に係る電気掃除機用吸込具を備えた電気掃除機を示す側面図
【発明を実施するための形態】
【００１９】
以下、本発明の実施の形態について、図面を参照しながら説明する。なお、この実施の形態により本発明が限定されるものではない。
【００２０】
図１（ａ）は、本発明に係る回転清掃体を構成するロータの第１実施形態を示す斜視図であり、図１（ｂ）は、第１実施形態のロータの正面図である。ロータ１は、合成樹脂にて形成されており、長手方向に、後述する清掃体の基部が挿入される複数の支持溝２、２・・を有している。また、複数の支持溝２、２・・は、ロータ１の一端から他端に亘って所定角度で螺旋状に形成されている。尚、本発明に係る回転清掃体は、ロータと、清掃体と、ロータの両端に取り付けられるブラケットとを備え、電気掃除機用吸込具や空気調和機に内蔵されたエアフィルタ清掃装置等の各種清掃装置に組み込まれるものである。
【００２１】
図２（ａ）は、図１（ｂ）のＡ−Ａ断面を示すと共に、第１実施形態のロータに清掃体を取り付けた状態を示す断面図である。この図に示すように、第１実施形態のロータ１は、断面略多角形状の中空部３と、ロータ１の長手方向に清掃体の基部４が挿入される複数の支持溝２、２・・を有しており、複数の支持溝２、２・・は、ロータ１の一端から他端に亘って所定角度で螺旋状に形成されており、中空部３の外接円９（回転中心７からの距離が等しい点の集合でできている曲線であって、中空部３に外接している。）がすべての清掃体の挿入時における基部４の底面５が接する内接円８（回転中心７からの距離が等しい点の集合でできている曲線であって、基部４の底面５に内接している。）よりも大になるよう形成されている。ロータ１を上記のように構成することによって、中空部３を最大限大きくすることができる。尚、符号６は、清掃体のブラシ部であり、ブラシ部６は、清掃体の基部４の上面に固着された複数のブラシ片により構成されている。また、支持溝２の下方には、空間部１１が形成されており、この空間部１１により、清掃体の基部４が撓むのを可能としている。
【００２２】
また、第１実施形態のロータ１は、外周部１０が回転中心７からの距離が等しい円弧状に形成されている。この円弧状の外周部１０は、清掃体の基部４及び清掃体のブラシ部６を支持する支持体１３を兼ねている。したがって、従来のロータのように、ロータの外周から支持体が突出する構成となっていないので、支持体の根元部分に応力が加わって亀裂を発生させることが無く、ロータ１に所定の強度を持たせることができる。また、外周部１０を回転中心７からの距離が等しい円弧状とすることによって、塵埃の付着を防ぐことができ、芯ぶれによる振動や異音の発生を抑制することができる。また、ロータ外径の大きさを変える事無く外周部１０を最も外側まで広げると共に、外周部１０によって支持溝２、２・・を形成することによって、強度と軽量化の最も良いバランスで設計することができ、従来のロータと比較して強度の向上を図ることができる。
【００２３】
図２（ｂ）は、回転清掃体を構成するロータの第２実施形態を示す断面図である。第２実施形態のロータ１ａの外形形状は、第１実施形態のロータ１の外形形状と同等としている。第１実施形態のロータ１と異なる部分は、中空部の凸部１２ａの長さＢを、第１実施形態のロータ１の中空部の凸部１２の長さＡよりも長くしている点である。このように構成することによって、ロータ外径の大きさと強度とを、第１実施形態のロータ１と同等にしつつ、ロータ１ａの一層の軽量化を図ることができる。
【００２４】
図３（ａ）は、本発明に係る回転清掃体の斜視図であり、図３（ｂ）は同回転清掃体の断面図である。回転清掃体３０は、前述した本発明に係るロータ１と、塵埃を除去する清掃体１４と、ロータ１の両端に取り付けられる回転駆動用のブラケット１５ａ、１５ｂとを備えている。ブラケット１５ａ、１５ｂは、ロータ１に嵌合し、図示しない軸受けに軸支される回転軸９１、９５とを備えている。また、一方のブラケット１５ｂは、図４に示すモータ２０と連結するベルト２１が取り付けられるためのギア９６が形成されている。
【００２５】
図４（ａ）は、本発明に係る電気掃除機用吸込具の斜視図であり、図４（ｂ）は、同電気掃除機用吸込具の底面図である。電気掃除機用吸込具１９は、上ケース１９ａと下ケース１９ｂと、継手管部２２とから構成されており、下ケース１９ｂの４箇所にはローラ２３が設置されている。そして、前述した本発明に係る回転清掃体３０は、電気掃除機用吸込具１９の吸込口２４に設置される。電気掃除機用吸込具１９には、モータ２０が内蔵されており、このモータ２０と、上述したブラケットのギア９６とがベルト２１によって連結されて、モータ２０の回転と連動して回転清掃体３０が回転するようになっている。
【００２６】
図５は、上述した回転清掃体を備えた電気掃除機用吸込具を接続した電気掃除機の全体側面図である。電気掃除機１００は、前部に塵埃を捕集する集塵室１０１と、後部に電動送風機１０２を内蔵した電動送風機室１０３をそれぞれ備えた掃除機本体１１０と、集塵室１０１に連通するように一端が掃除機本体１１０に接続されるホース１０４と、ホース１０４の他端に設けられたハンドルパイプ１０５に着脱自在に接続される延長管１０６とを備え、延長管１０６の他端に、電気掃除機用吸込具１９が接続される。上記構成により、掃除機本体１１０を運転し、ハンドルパイプ１０５を操作して、電気掃除機用吸込具１９をフローリングやじゅうたん上で操作すると、電気掃除機用吸込具１９に内蔵されたモータにより回転清掃体が回転し、塵埃が清掃体により掻き上げられ、電動送風機１０２による吸引力で、空気と共に塵埃が、延長管１０６、ホース１０４を通って集塵室１０１に流れ込みそこで塵埃が捕集される。尚、電気掃除機用吸込具１９が無く、掃除機本体１１０に、本発明に係るロータ、又は、本発明に係る回転清掃体が組み込まれている場合も本発明に係る電気掃除機に含まれるものである。
【産業上の利用可能性】
【００２７】
本発明のロータ及び回転清掃体は、電気掃除機用吸込具や空気調和機に内蔵されたエアフィルタ清掃装置等、各種清掃装置に組み込まれて使用される。また、電気掃除機用吸込具は、電気掃除機に組み込まれて各種清掃を行うために使用される。
【符号の説明】
【００２８】
１、１ａ  ロータ
２、２ａ  支持溝
３、３ａ  中空部
４  清掃体の基部
５  基部の底面
６  清掃体のブラシ部
７、７ａ  回転中心
８、８ａ  基部の底面が接する内接円
９、９ａ  中空部の外接円
１０、１０ａ  外周部
１１、１１ａ  空間部
１２、１２ａ  中空部の凸部
１３、１３ａ  支持体
１４  清掃体
１５ａ、１５ｂ  ブラケット
１９  電気掃除機用吸込具
１９ａ  上ケース
１９ｂ  下ケース
２０  モータ
２１  ベルト
２２  継手管部
２３  ローラ
２４  吸込口
３０  回転清掃体
９１、９５  回転軸
９６  ブラケットのギア
１００  電気掃除機
１０１  集塵室
１０２  電動送風機
１０３  電動送風機室
１０４  ホース
１０５  ハンドルパイプ
１０６  延長管
１１０  掃除機本体
Ａ、Ｂ  中空部の凸部の長さ
【図１】
2016093367.tif 000003
【図２】
2016093367.tif 000004
【図３】
2016093367.tif 000005
【図４】
2016093367.tif 000006
【図５】
2016093367.tif 000007